(57)【要約】【課題】対象物のドアの施解錠に対する不正使用が簡単且つ確実に防止され、高いセキュリティ性が確保されるドア施解錠制御装置を提供すること。【解決手段】ドア施解錠制御装置３は、電子キー２とコントローラ用ＣＰＵ３１との間でＩＤ認証が成立することなくドア開閉検知センサ３３によりドアが開放されたことが検知されたときに屋外アンテナユニット４０に設けたスピーカ３７ａから警報が発生される「警戒モード」に設定される。そして、この「警戒モード」においては、同「警戒モード」が解除されない限り、ＥＥＰＲＯＭ３２への電子キー２の登録が禁止される。【選択図】図１
2010077619.tif 000002
【特許請求の範囲】
【請求項１】
対象物に設けたドアの施解錠に使用され、ユーザに所持される電子キーのＩＤコードを記憶することで当該電子キーを登録するＩＤコード記憶手段と、前記電子キーと無線通信を行うことにより、前記電子キーのＩＤコードを検出するＩＤコード検出手段と、前記ＩＤコード記憶手段に記憶されているＩＤコードと前記ＩＤコード検出手段によって検出されたＩＤコードとが一致することでＩＤ認証が成立したことを条件として前記ドアの施解錠を許可するドア施解錠制御手段と、
前記ドア施解錠制御手段にそれぞれ電気的に接続され、周囲に警報を発する警報発生手段と、前記ドアの開閉状態を検知するドア開放検知手段とを備え、
前記ＩＤ認証が成立することなく前記ドア開放検知手段によりドアが開放されたことが検知されると前記警報発生手段が警報を発生する警戒モードを有し、当該警戒モードにおいては、前記ＩＤコード記憶手段への電子キーの登録を禁止するようにしたドア施解錠制御装置。
【請求項２】
請求項１に記載のドア施解錠制御装置において、
前記ＩＤコード記憶手段に登録済の電子キーとの間で無線通信が行われ、且つ、前記ＩＤ認証が成立したことを条件として、前記警戒モードの設定及び同設定の解除が行われるようにしたドア施解錠制御装置。
【請求項３】
請求項２に記載のドア施解錠制御装置において、
前記ＩＤコード検出手段は、前記ドアの屋外側に設けられ、前記電子キーをかざすことにより、前記電子キーのＩＤコードを検出する屋外アンテナユニットであり、
前記登録済の電子キーが前記ＩＤコード検出手段にかざされ、且つ、前記ＩＤ認証が成立したことを条件として、前記警戒モードの設定及び同設定の解除が行われるようにしたドア施解錠制御装置。
【請求項４】
請求項１〜請求項３のいずれかに記載のドア施解錠制御装置において、
前記警戒モードに一旦設定された後、同警戒モードが解除された場合には、前記ドアに設けられた登録スイッチが操作されることを条件として、電子キーの登録が行われるようにしたドア施解錠制御装置。
【請求項５】
ドアの施解錠に使用され、ユーザに所持される電子キーと、該電子キーによる前記ドアの施解錠を当該各電子キーのＩＤコードの照合を経て許可するべく、請求項１〜請求項４のいずれか一項に記載のドア施解錠制御装置とを備えたことを特徴とするドア施解錠制御システム。
【発明の詳細な説明】
【技術分野】
【０００１】
本発明は、住宅等の対象物に設けられ、ドアの施解錠を制御するドア施解錠制御装置及びドア施解錠制御システムに関する。
【背景技術】
【０００２】
従来より、住宅に居住する家族の構成員としての各ユーザが所持する電子キーと、当該住宅に設けられ、ドアの施解錠を制御するドア施解錠制御装置との間で双方向の無線通信が行なわれ、該無線通信に基づいてドアの施解錠を自動的に許可するようにしたドア施解錠制御システムについて開発がなされている。
【０００３】
このようなドア施解錠制御装置には、各電子キーに固有に設定されたＩＤコードを記憶することで当該電子キーを登録するＩＤコード記憶メモリが設けられている。
そして、前記ドア施解錠制御システムでは、住宅のドアを施解錠させる際に、前記無線通信によって当該電子キーのＩＤコードと前記ＩＤコード記憶メモリに予め登録されたＩＤコードとの照合が行なわれ、両ＩＤコードが一致することでＩＤ認証が成立したことを条件としてドアの施解錠が許可されるようになっている（例えば、特許文献１を参照）。
【０００４】
こうしたドア施解錠制御装置では、ユーザが全ての電子キーを紛失した場合であっても、住宅のセキュリティ性を確保しつつ、再度電子キーの使用が行えるようにするために、例えば、ドアの所定箇所に設けた登録スイッチの操作と、電子キーのＩＤコードを照合する照合ユニットへ電子キーをかざす操作とを適宜組み合わせること等で新たに電子キーを登録する手段が用意されていた。
【特許文献１】特開平１０−１８６６０号公報
【発明の開示】
【発明が解決しようとする課題】
【０００５】
しかしながら、このように、電子キーについていわば「抜け道」としての非常用の登録手段が用意されていると、そのような手段を用いる限り、正規のユーザでない第三者であっても電子キーの不正登録、及び、ドアの不正な施解錠操作が可能となり、セキュリティ性が低下する懸念がある。
【０００６】
本発明は、上記問題点を解決するためになされたものであって、その目的は、対象物のドアの施解錠に対する不正操作が簡単且つ確実に防止され、高いセキュリティ性が確保されるドア施解錠制御装置及びドア施解錠制御システムを提供することにある。
【課題を解決するための手段】
【０００７】
上記問題点を解決するために、請求項１に記載の発明は、対象物に設けたドアの施解錠に使用され、ユーザに所持される電子キーのＩＤコードを記憶することで当該電子キーを登録するＩＤコード記憶手段と、前記電子キーと無線通信を行うことにより、前記電子キーのＩＤコードを検出するＩＤコード検出手段と、前記ＩＤコード記憶手段に記憶されているＩＤコードと前記ＩＤコード検出手段によって検出されたＩＤコードとが一致することでＩＤ認証が成立したことを条件として前記ドアの施解錠を許可するドア施解錠制御手段と、前記ドア施解錠制御手段にそれぞれ電気的に接続され、周囲に警報を発する警報発生手段と、前記ドアの開閉状態を検知するドア開放検知手段とを備え、前記ＩＤ認証が成立することなく前記ドア開放検知手段によりドアが開放されたことが検知されると前記警報発生手段が警報を発生する警戒モードを有し、当該警戒モードにおいては、前記ＩＤコード記憶手段への電子キーの登録を禁止するようにしたこと、を要旨とする。
【０００８】
同構成によれば、ドア施解錠制御装置が一旦警戒モードに設定されてしまうと、同警戒モードの設定が解除されない限り、電子キーの登録が禁止されるので、第三者による電子キーの不正登録、及び、対象物のドアの不正な施解錠操作が簡単且つ確実に防止され、対象物のセキュリティ性が効果的に確保される。ここで、ＩＤコード記憶手段に登録済の電子キーとドア施解錠制御手段との間で無線通信を介したＩＤ認証（ＩＤコードの照合）が成立することを「警戒モード」の設定解除の必須条件としておけば、当該登録済の電子キーを全て紛失してしまえば、ＩＤコード記憶手段及びドア施解錠制御手段を交換しない限り、警戒モードの設定が解除できないので、電子キーの登録を一切禁止することができるようになる。
【０００９】
請求項２に記載の発明は、請求項１に記載のドア施解錠制御装置において、前記ＩＤコード記憶手段に登録済の電子キーとの間で無線通信が行われ、且つ、前記ＩＤ認証が成立したことを条件として、前記警戒モードの設定及び同設定の解除が行われるようにしたこと、を要旨とする。
【００１０】
同構成によれば、ＩＤコード記憶手段に登録済の電子キーとドア施解錠制御手段との間で無線通信が行われ、且つ、ＩＤ認証が成立したことを条件として、警戒モードの設定及び同設定の解除が行われる。このため、当該登録済の電子キーとドア施解錠制御手段との間でＩＤ認証を成立させることで簡単に警戒モードの設定及び同設定の解除を行うことができる上、同登録済の電子キーを紛失してしまえば、ＩＤコード記憶手段及びドア施解錠制御手段を交換しない限り、警戒モードの設定が解除できず、これにより電子キーの登録が一切禁止されるので、第三者による電子キーの不正登録、及び、対象物のドアの不正な施解錠操作の防止が徹底され、対象物のセキュリティ性がさらに効果的に確保される。
【００１１】
請求項３に記載の発明は、請求項２に記載のドア施解錠制御装置において、請求項２に記載のドア施解錠制御装置において、前記ＩＤコード検出手段は、前記ドアの屋外側に設けられ、前記電子キーをかざすことにより、前記電子キーのＩＤコードを検出する屋外アンテナユニットであり、前記登録済の電子キーが前記ＩＤコード検出手段にかざされ、且つ、前記ＩＤ認証が成立したことを条件として、前記警戒モードの設定及び同設定の解除が行われるようにしたこと、を要旨とする。
【００１２】
同構成によれば、ＩＤコード検出手段に登録済の電子キーがかざされ、且つ、ＩＤ認証が成立したことを条件として、警戒モードの設定及び同設定の解除が行われる。このため、屋外アンテナユニットに登録済の電子キーをかざし、ＩＤコードの照合を成立させるというユーザが認識し易い手法で簡単に警戒モードの設定及び同設定の解除を行うことができるようになり、ユーザの利便性に供するようになる。
【００１３】
請求項４に記載の発明は、請求項１〜請求項３のいずれかに記載のドア施解錠制御装置において、前記警戒モードに一旦設定された後、同警戒モードが解除された場合には、前記ドアに設けられた登録スイッチが操作されることを条件として、電子キーの登録が行われるようにしたこと、を要旨とする。
【００１４】
同構成によれば、ドア施解錠制御装置が警戒モードに一旦設定された後、同警戒モードが解除された場合には、対象物のドアに設けられた登録スイッチを操作することを条件として、電子キーの登録が行われるようにしたので、当該対象物のセキュリティ性を確保しながら、ＩＤコード記憶手段及びドア施解錠制御手段の交換を行うことなく、電子キーの再登録を行なうことができる。
【００１５】
請求項５に記載の発明は、ドアの施解錠に使用され、ユーザに所持される電子キーと、該電子キーによる前記ドアの施解錠を当該各電子キーのＩＤコードの照合を経て許可するべく、請求項１〜請求項４のいずれか一項に記載のドア施解錠制御装置とを備えたことを特徴とするドア施解錠制御システム、を要旨とする。
【００１６】
同構成によれば、警戒モードの設定が解除されない限り、電子キーの登録が禁止され、第三者による電子キーの不正登録、及び、対象物のドアの不正な施解錠操作が簡単且つ確実に防止され、対象物のセキュリティ性が効果的に確保されるドア施解錠制御システムが得られる。
【発明の効果】
【００１７】
本発明によれば、対象物のドアの施解錠に対する不正操作が簡単且つ確実に防止され、高いセキュリティ性が確保されるドア施解錠制御装置及びドア施解錠制御システムが提供できるようになる。
【発明を実施するための最良の形態】
【００１８】
以下、本発明を具体化した実施形態について図面に従って説明する。
図１を参照して、本実施形態にかかるドア施解錠制御システム１は、対象物である住宅の玄関ドア（ドア）に設けられるものであり、該住宅に居住する複数のユーザが各々所持する電子キー２，…と、住宅側に設けられるドア施解錠制御装置３とを備えている。そして、該各電子キー２とドア施解錠制御装置３との間で双方向の無線通信がなされてＩＤの認証が行われ、該認証結果に基づいて当該玄関ドアの施解錠制御が行われる。
【００１９】
前記各電子キー２は、前記ドア施解錠制御装置３から送信される所定周波数（ここでは、ＬＦ帯）の起動用電波を介して電力を受け取るトランスポンダ２１を備えており、該受領した電力を用い、各電子キー２にそれぞれ固有に設定されたＩＤコード（認証用コード）を含むＩＤコード信号を当該ドア施解錠制御装置３に無線で送信する。
【００２０】
一方、前記ドア施解錠制御装置３には、住宅の玄関ドアの内部に収容されるコントローラ３０、並びに、該コントローラ３０に電気的に接続されるとともに、該玄関ドアの屋外側に配設され、前記各電子キー２から送信される電波を受信し、該電波に含まれた当該電子キーのＩＤコードを検出するＩＤコード検出手段としての屋外アンテナユニット４０、及び、該玄関ドアの近傍の屋内（室内）側壁面に配設される室内操作盤５０が設けられている。
【００２１】
詳しくは、前記コントローラ３０には、所定の制御用プログラムが格納されるメモリ３１ａを有するコントローラ用ＣＰＵ３１と、該ＣＰＵ３１に電気的に接続され、当該コントローラ３０が収容されている玄関ドアの施解錠に使用可能な正規の電子キー２，…の各ＩＤコードを記憶することで当該電子キー２，…を登録するＩＤコード記憶手段としてのＥＥＰＲＯＭ３２とが設けられている。尚、本実施形態では、正規の電子キー２，…として５個（複数）の電子キー２，…を使用し、このコントローラ用ＣＰＵ３１で管理させる。以下、説明の便宜上、これら５個の正規の電子キー２，…をそれぞれ電子キー２ａ〜２ｅと呼ぶとともに、該電子キー２ａ〜２ｅがそれぞれ有するＩＤコードと同一であり、前記ＥＥＰＲＯＭ３２に記憶されるＩＤコードをＩＤコードＡ〜Ｅとする。また、前記コントローラ用ＣＰＵ３１では、前記電子キー２ａ〜２ｅ（ＩＤコードＡ〜Ｅ）をそれぞれ管理番号１〜５に対応させて管理するものとする。
【００２２】
前記コントローラ３０には、前記コントローラ用ＣＰＵ３１に電気的に接続され、該ＣＰＵ３１で生成される施解錠指令信号（施錠指令信号、解錠指令信号）が入力されるモータドライバ３４がさらに設けられている。そして、前記コントローラ３０には、玄関ドア４ａに設けられ、前記モータドライバ３４を介して、同玄関ドア４ａの施解錠を行う電動サムターン３５が電気的に接続されている。そして、前記施解錠指令信号がモータドライバ３４に出力されることで前記コントローラ用ＣＰＵ３１によって電動サムターン３５の動作が制御されるようになっている。
【００２３】
尚、この電動サムターン３５には、それぞれ、電動サムターン３５が解錠状態及び施錠状態である場合に各々オンとなる解錠状態検出スイッチ及び施錠状態検出スイッチ（図示せず）が内蔵されている。そして、電動サムターン３５が解錠状態又は施錠状態にある場合に、当該各スイッチから前記コントローラ用ＣＰＵ３１にその旨を示す信号である解錠状態信号又は施錠状態信号が出力されるようになっている。
【００２４】
また、図２に示すように、前記コントローラ３０は、住宅４の壁４ｗに対してドアマン４ｃを介して開閉自在とされた玄関ドア４ａ（図２では閉止状態）の内部に配設されている。そして、前記屋外アンテナユニット４０は、玄関ドア４ａの屋外側表面に配設される一方、前記電動サムターン３５は、玄関ドア４ａの屋内側表面に配設されており、それぞれ前記コントローラ３０に電気的に接続されている。また、玄関ドア４ａの内部には、玄関ドア４ａの前記ドアマン４ｃと反対側の側面に住宅４の壁４ｗに向けて前記電動サムターン３５によって住宅４の壁４ｗの受座（図示せず）に対して出退自在に駆動され、該玄関ドア４ａの施開錠操作を行うべくデッドボルト３８ａを有する錠機構３８が配設されている。この電動サムターン３５は、前記モータドライバ３４によって施錠側に駆動され、施錠状態とされた場合には当該錠機構３８を介して玄関ドア４ａの施錠を行うとともに、前記モータドライバ３４によって解錠側に駆動され、開錠状態とされた場合には当該錠機構３８を介して玄関ドア４ａの開錠を行う。さらに、該玄関ドア４ａの内部には、当該玄関ドア４ａをその閉止時に住宅４の壁４ｗに保持させるためのドアラッチ３９ａを有するラッチ装置３９が配設されている。また、玄関ドア４ａの屋外側表面には、玄関ドア４ａの開閉用に上下方向に延びるバー状のドアハンドル４ｂが取り付けられている。
【００２５】
図１及び図２に示すように、前記コントローラ用ＣＰＵ３１には、前記屋外アンテナユニット４０に配設され、玄関ドア４ａが解錠状態（電動サムターン３５が解錠状態の場合）であること、及び、玄関ドア４ａが施錠状態（電動サムターン３５が施錠状態の場合）であることを表示する表示部４３が電気的に接続されている。
【００２６】
また、前記コントローラ３０には、前記コントローラ用ＣＰＵ３１に電気的に接続され、長押し（例えば、２秒以上）することにより、ドア施解錠制御装置３を前記屋外アンテナユニット４０によって検出された電子キー２のＩＤコードのＥＥＰＲＯＭ３２への記憶が可能となる「登録モード」に設定する一方、短押し（例えば、１秒程度）することにより、電子キー２の登録を確定させるための登録スイッチ（登録ボタン）３６が設けられている。尚、図２においては、前記登録スイッチ３６は、前記コントローラ３０の玄関ドア４ａの前記ドアマン４ｃと反対側の側面部に操作可能に配設されている。
【００２７】
前記屋外アンテナユニット４０には、前記表示部４３に加えて、前記コントローラ用ＣＰＵ３１に電気的に接続され、送受信アンテナ４２を有する送受信回路４１が設けられている。そして、この送受信回路４１は、コントローラ用ＣＰＵ３１から入力されるトランスポンダ起動用信号に基づいて前記起動用電波を生成し、送受信アンテナ４２を介して各電子キー２に送信するようになっている。
【００２８】
さらに、前記コントローラ３０には、前記コントローラ用ＣＰＵ３１に電気的に接続されるとともに玄関ドア４ａに配設され、当該玄関ドア４ａの開閉状態を電磁的に検知するドア開放検知手段としてのドア開閉検知センサ３３（図２では住宅４の壁４ｗに埋め込まれた磁石の磁力を検知して作動するリードスイッチを使用した。）が設けられている。
【００２９】
前記コントローラ用ＣＰＵ３１は、このドア開閉検知センサ３３を介して玄関ドア４ａの開閉状態（開放状態及び閉止状態）を認識可能となっている。そして、該ＣＰＵ３１は、玄関ドア４ａが開放状態である場合（ドア開閉検知センサ３３がオン状態の場合）に、開放状態信号を生成するとともに、玄関ドア４ａが閉止状態である場合（ドア開閉検知センサ３３がオフ状態の場合）に、閉止状態信号を生成する。そして、前記トランスポンダ起動用信号は、玄関ドア４ａが閉止状態であることを条件として、コントローラ用ＣＰＵ３１から送受信回路４１に出力されるようになっている。尚、この玄関ドア４ａの閉止状態には、前記した施錠状態及び解錠状態の両方の状態が含まれる。
【００３０】
前記起動用電波は、前記送受信回路４１によって、玄関ドア４ａの屋外側において屋外アンテナユニット４０を中心とした所定の送信エリアに送信される。即ち、ユーザによって各電子キー２が屋外アンテナユニット４０にかざされ、当該各電子キー２が前記送信エリア内に進入すると、この電子キー２は、当該起動用電波を受信し、この起動用電波の電磁力の作用によりトランスポンダ２１内で生成した電力を用いて自己のＩＤコードを含むＩＤコード信号を所定周波数（ここでは、ＬＦ帯）の電波に変調し、当該トランスポンダ２１を介して前記屋外アンテナユニット４０の送受信回路４１に送信する。
【００３１】
そして、この送受信回路４１は、このＩＤコード信号を送受信アンテナ４２を介して受信すると、それを復調して該ＩＤコード信号に対応する受信信号を生成し、コントローラ用ＣＰＵ３１に出力する。
【００３２】
すると、前記コントローラ用ＣＰＵ３１は、前記受信信号に含まれているＩＤコードが前記ＥＥＰＲＯＭ３２に記憶されたＩＤコードＡ〜ＥのいずれかのＩＤコードと一致しているか否かを判断する（以下、「ＩＤ認証」という）。そして、両ＩＤコードが一致することでＩＤ認証が成立している場合は、前記コントローラ用ＣＰＵ３１は、正規の電子キー２ａ〜２ｅのいずれかが玄関ドア４ａの施解錠に使用されている旨を認識するとともに、玄関ドア４ａが施錠されている場合は当該玄関ドア４ａを解錠すべく、前記モータドライバ３４に解錠指令信号を出力する一方、玄関ドア４ａが解錠されている場合は当該玄関ドア４ａを施錠すべく、モータドライバ３４に施錠指令信号を出力する。このように本実施形態では、コントローラ用ＣＰＵ３１は、「登録モード」において前記屋外アンテナユニット４０によって検出されたＩＤコードを前記ＥＥＰＲＯＭ３２に記憶させるとともに、前記屋外アンテナユニット４０にかざされた電子キー２ａ〜２ｅのいずれかのＩＤコードが、前記ＥＥＰＲＯＭ３２に登録されているＩＤコードＡ〜Ｅのいずれかと一致することでＩＤ認証が成立したことを条件として玄関ドア４ａの施解錠を許可するドア施解錠制御手段として機能する。
【００３３】
そして、前記モータドライバ３４は、解錠指令信号が入力されると、電動サムターン３５を解錠側へ駆動する一方、施錠指令信号が入力されると、電動サムターン３５を施錠側へ駆動する。
【００３４】
また、前記コントローラ用ＣＰＵ３１は、電動サムターン３５の解錠状態検出スイッチがオンの状態となった場合は、当該解錠状態検出スイッチから解錠状態信号が入力され、玄関ドア４ａが解錠されている旨を認識する。これにより、コントローラ用ＣＰＵ３１は、玄関ドア４ａの解錠が完了したことを認識し、屋外アンテナユニット４０の表示部４３にその旨表示させるとともに、玄関ドア４ａが施錠状態から解錠状態へ移行した旨、及び、解錠に使用された正規の電子キー２ａ〜２ｅのいずれかの管理番号（１〜５のいずれか）を室内操作盤５０に通知する。
【００３５】
一方、前記コントローラ用ＣＰＵ３１は、電動サムターン３５の施錠状態検出スイッチがオンの状態となった場合は、当該施錠状態検出スイッチから施錠状態信号が入力され、玄関ドア４ａが施錠されている旨を認識する。これにより、コントローラ用ＣＰＵ３１は、玄関ドア４ａの施錠が完了したことを認識し、屋外アンテナユニット４０の表示部４３にその旨表示させるとともに、玄関ドア４ａが解錠状態から施錠状態へ移行した旨、及び、施錠に使用された正規の電子キー２ａ〜２ｅのいずれかの管理番号（１〜５のいずれか）を室内操作盤５０に通知する。
【００３６】
本実施形態では、図１及び図２を参照して、玄関ドア４ａが解錠状態且つ閉止状態である場合において、前記ＥＥＰＲＯＭ３２に登録済の電子キー２ａ〜２ｅのいずれかを屋外アンテナユニット４０にかざすと、コントローラ用ＣＰＵ３１は、前記ＩＤ認証を行い、同ＩＤ認証が成立したことを条件として、電動サムターン３５を介して、当該玄関ドア４ａの施錠を行なう。そして、所定時間内（例えば、５秒以内）に再度同電子キー２ａ〜２ｅのいずれかを屋外アンテナユニット４０にかざすと、前記コントローラ用ＣＰＵ３１は、前記ＩＤ認証を再度行い、同ＩＤ認証が成立したことを条件として、ドア施解錠制御装置３を「警戒モード」に設定するように構成されている。
【００３７】
そして、図２に示すように、前記コントローラ３０には、電気信号を音声信号に変換する音声回路３７が設けられており、前記コントローラ用ＣＰＵ３１には、同音声回路３７を介して前記音声信号に基づいて音声を発するスピーカ３７ａが電気的に接続されている。本実施形態では、この音声回路３７及びスピーカ３７ａは、ドア施解錠制御装置３が前記「警戒モード」に設定された場合において、周囲に警報を発する警報発生手段として機能する。
【００３８】
また、前記コントローラ用ＣＰＵ３１は、前記ＩＤ認証の成立を経ることなく玄関ドア４ａが開放状態且つ解錠状態となった場合には、不正行為によって玄関ドア４ａの解錠及び開放がなされたことを認識するように構成されている。
【００３９】
即ち、コントローラ用ＣＰＵ３１は、玄関ドア４ａを解錠及び開放するためのＩＤ認証が所定時間内（例えば、１０分以内）に成立していないにも拘わらず、前記電動サムターン３５から解錠状態信号が入力され、且つ、ドア開閉検知センサ３３による玄関ドア４ａの開閉状態の検知結果に基づいて開放状態信号が生成されたときには、不正行為によって玄関ドア４ａの解錠及び開放がなされたことを認識するように構成されている。
【００４０】
そして、同コントローラ用ＣＰＵ３１は、ドア施解錠制御装置３が「警戒モード」に設定されている場合において、前記不正行為による玄関ドア４ａの解錠及び開放を認識した場合には、当該認識した時点から、コントローラ用ＣＰＵ３１から出力される音声信号に基づいて前記音声回路３７及びスピーカ３７ａを介して周囲に警報を所定時間（例えば、１分間）吹鳴するように構成されている。
【００４１】
さらに、前記コントローラ用ＣＰＵ３１は、ドア施解錠制御装置３が「警戒モード」に設定されていると、前記登録スイッチ３６をどのように操作しても、電子キー２のＩＤコードのＥＥＰＲＯＭ３２への記憶を行う「登録モード」への設定を禁止するように構成されている。
【００４２】
尚、コントローラ用ＣＰＵ３１は、ドア施解錠制御装置３が当該「警戒モード」に設定されている場合において、前記ＥＥＰＲＯＭ３２に登録済の電子キー２ａ〜２ｅのいずれかを屋外アンテナユニット４０にかざすと、前記ＩＤ認証を行い、同ＩＤ認証が成立したことを条件として、当該「警戒モード」の設定を解除するように構成されている。
【００４３】
図１に示すように、本実施形態においては、前記室内操作盤５０には、前記コントローラ用ＣＰＵ３１にシリアル通信により相互に通信可能に接続された室内操作盤用ＣＰＵ５１が設けられている。そして、コントローラ用ＣＰＵ３１から室内操作盤用ＣＰＵ５１には、玄関ドア４ａの施解錠状態に応じて、施解錠状態信号（施錠状態信号、解錠状態信号）が出力されるとともに、玄関ドア４ａの開閉状態に応じて、玄関ドア４ａの開閉状態信号（開放状態信号、閉止状態信号）が出力される。
【００４４】
前記室内操作盤５０には、前記室内操作盤用ＣＰＵ５１に電気的に接続され、該ＣＰＵ３１から出力される玄関ドア４ａの施解錠状態信号に基づき、玄関ドア４ａの施解錠状態を表示する施解錠状態報知用ＬＥＤ５２と、同ＣＰＵ３１から出力される玄関ドア４ａの開閉状態信号に基づき、玄関ドア４ａの開閉状態を表示する開閉状態報知用ＬＥＤ５３とが設けられている。尚、施解錠状態報知用ＬＥＤ５２は、玄関ドア４ａが解錠されていると点灯する一方、施錠されていると消灯するようになっており、また、開閉状態報知用ＬＥＤ５３は、玄関ドア４ａが開放されていると点灯する一方、閉止されていると消灯するようになっている。
【００４５】
前記室内操作盤５０には、前記室内操作盤用ＣＰＵ５１に電気的に接続され、前記施解錠操作に使用された電子キー２の管理番号（１〜５のいずれか）を表示（報知）する７セグメントＬＥＤ５５が設けられている。例えば、解錠に電子キー２ａが使用された場合は、当該室内操作盤用ＣＰＵ５１は、前記コントローラ用ＣＰＵ３１との通信に基づき、電子キー２ａの管理番号１を７セグメントＬＥＤ５５に表示させる。以下同様に、電子キー２ｂ〜２ｅが使用された場合は、それぞれ、電子キー２ｂ〜２ｅの管理番号２〜５を７セグメントＬＥＤ５５に表示させる。これにより、ユーザは、解錠に使用された電子キー２ａ〜２ｅのいずれかを認識できるようになっている。
【００４６】
尚、図１に示す前記室内操作盤５０では、玄関ドア４ａを手動で施錠するための押しスイッチ（押しボタン）５４が室内操作盤用ＣＰＵ５１に電気的に接続されている。例えば、住宅４の居住者であるユーザは、正規の電子キー２ａ〜２ｅのいずれかを使用して玄関ドア４ａの解錠を完了させ、該玄関ドア４ａを通って屋内に進入した後、さらに、玄関ドア４ａが閉止状態であることを前記室内操作盤５０の開閉状態報知用ＬＥＤ５３によって確認した上で、押しスイッチ５４を操作することで玄関ドア４ａを手動で施錠することができる。ここでは、玄関ドア４ａの解錠が完了した時点で、解錠に使用された正規の電子キー２の管理番号（１〜５のいずれか）が７セグメントＬＥＤ５５に表示される。
【００４７】
このように押しスイッチ５４が操作されると、その旨が室内操作盤用ＣＰＵ５１からコントローラ用ＣＰＵ３１に通知され、該ＣＰＵ３１は、玄関ドア４ａが施錠されている場合は当該玄関ドア４ａを解錠すべく、前記モータドライバ３４に解錠指令信号を出力する一方、このように、玄関ドア４ａが解錠されている場合は当該玄関ドア４ａを施錠すべく、モータドライバ３４に施錠指令信号を出力する。ここで、玄関ドア４ａが施錠されている場合は、モータドライバ３４により電動サムターン３５が解錠側へ駆動される。一方、このように、玄関ドア４ａが解錠されている場合は、モータドライバ３４により電動サムターン３５が施錠側へ駆動される。
【００４８】
そして、玄関ドア４ａの施錠が完了すると、前記電動サムターン３５の施錠状態検出スイッチがオンの状態となり、前記コントローラ用ＣＰＵ３１は、玄関ドア４ａが施錠されている旨と、その施錠が完了したことを認識し、屋外アンテナユニット４０の表示部４３にその旨表示させるとともに、解錠状態から施錠状態へ移行した旨を室内操作盤用ＣＰＵ５１に通知する。
【００４９】
すると、前記室内操作盤用ＣＰＵ５１は、前記コントローラ用ＣＰＵ３１を介して玄関ドア４ａの施錠が完了したことを認識し、前記施解錠状態報知用ＬＥＤ５２を消灯することで玄関ドア４ａが施錠状態であることをユーザに報知するとともに、所定時間後に７セグメントＬＥＤ５５による正規の電子キー２の管理番号の表示を終える。
【００５０】
本実施形態にかかるドア施解錠制御システム１及びドア施解錠制御装置３は以上のように構成されている。以下、図１〜図３を参照しながら、本実施形態にかかるドア施解錠制御装置３において、「警戒モード」に設定された場合に、電子キー２の登録が禁止される処理について説明する。この処理は、前記コントローラ３０のコントローラ用ＣＰＵ３１のメモリ３１ａに格納された所定の制御用プログラムによって実行される。
【００５１】
まず、図３のステップＳ１において、玄関ドア４ａが解錠状態且つ閉止状態である場合において、例えば、ＥＥＰＲＯＭ３２に登録済の電子キー２ａ〜２ｅのいずれかを屋外アンテナユニット４０にかざすと、コントローラ用ＣＰＵ３１は、電子キー２ａ〜２ｅのいずれかから受信した受信信号に含まれているＩＤコードが当該ＥＥＰＲＯＭ３２に記憶されたＩＤコードＡ〜ＥのいずれかのＩＤコードと一致しているか否かを判断するＩＤ認証を行い、同ＩＤ認証が成立したことを条件として、電動サムターン３５を介して、当該玄関ドア４ａの施錠を行なう。そして、所定時間内（例えば、５秒以内）に再度同電子キー２を屋外アンテナユニット４０にかざすと、コントローラ用ＣＰＵ３１は、前記ＩＤ認証を再度行い、同ＩＤ認証が成立したことを条件として、ドア施解錠制御装置３を「警戒モード」に設定する（ステップＳ１）。この「警戒モード」において、コントローラ用ＣＰＵ３１は、玄関ドア４ａがメカニカル鍵で不正に解錠されたり、電動サムターン３５を不正に回したりする等の不正行為によって玄関ドア４ａの解錠及び開放がなされたことを認識すると、音声回路３７に所定の音声信号を出力し、これによりスピーカ３７ａから所定時間（例えば、１分間）警報が吹鳴する。
【００５２】
次に、ステップＳ２において、コントローラ用ＣＰＵ３１は、「警戒モード」において、ユーザによって当該「警戒モード」が解除されたか否かの判断を行なう（ステップＳ２）。即ち、ドア施解錠制御装置３が「警戒モード」に設定されている場合において、前記ＥＥＰＲＯＭ３２に登録済の電子キー２ａ〜２ｅのいずれかを屋外アンテナユニット４０にかざすと、コントローラ用ＣＰＵ３１は、前記ＩＤ認証を行い、同ＩＤ認証が成立したことを条件として、当該「警戒モード」の設定を解除するとともに（ＹＥＳの場合）、ステップＳ３〜ステップＳ７に移行する。一方、当該ＩＤ認証が成立しない場合は、コントローラ用ＣＰＵ３１は、「警戒モード」の設定を継続するとともに（ＮＯの場合）、ステップＳ３ａ〜ステップＳ４ａに移行する。
【００５３】
ステップＳ３〜ステップＳ７では、「警戒モード」は既に解除されているので、電子キー２の登録を行なうことができる。
即ち、ステップＳ３において、玄関ドア４ａを解錠状態及び開放状態とし、玄関ドア４ａの側面部に設けられた登録スイッチ３６を長押し（例えば、２秒以上）する（ステップＳ３）。
【００５４】
すると、ステップＳ４において、コントローラ用ＣＰＵ３１により、ドア施解錠制御装置３が、ＥＥＰＲＯＭ３２への電子キー２のＩＤコードの登録を行うための「登録モード」に設定される（ステップＳ４）。
【００５５】
続くステップＳ５において、登録する電子キー２を屋外アンテナユニット４０の送信エリアにかざす（ステップＳ５）。これにより、電子キー２のＩＤコードがＬＦ帯の電波によりＩＤコード信号として発信され、屋外アンテナユニット４０の送受信回路４１に無線送信され、コントローラ用ＣＰＵ３１に伝送される。尚、この段階では、当該ＣＰＵ３１に伝送されたＩＤコードは、コントローラ用ＣＰＵ３１に一時的に保持されており、前記ＥＥＰＲＯＭ３２への記憶（登録）は確定されていない状態になっている。
【００５６】
さらにステップＳ６において、前記登録スイッチ３６を短押し（例えば、１秒程度）する（ステップＳ６）。すると、ステップコントローラ用ＣＰＵ３１において一時的に保持されていた電子キー２のＩＤコードのＥＥＰＲＯＭ３２への登録が確定される（ステップＳ７）。
【００５７】
一方、ステップＳ３ａ及びステップＳ４ａでは「警戒モード」は解除されることなく継続されているので、電子キー２の登録を行なうことができない。
即ち、ステップＳ３ａにおいて、玄関ドア４ａを解錠状態及び開放状態とし、玄関ドア４ａの側面部に設けられた登録スイッチ３６を長押し（例えば、２秒以上）する（ステップＳ３ａ）。
【００５８】
ところが、このステップＳ３ａでは「警戒モード」に設定されているので、コントローラ用ＣＰＵ３１によって、ドア施解錠制御装置３が、ＥＥＰＲＯＭ３２への電子キー２のＩＤコードの登録を行うための「登録モード」に設定されることが禁止されている。このため、ステップＳ４ａでは、「登録モード」に設定されず、「登録モード」に非設定となる（ステップＳ４ａ）。即ち、ＥＥＰＲＯＭ３２に登録済の電子キー２ａ〜２ｅのいずれかを用いて「警戒モード」の設定が解除されるか、ＥＥＰＲＯＭ３２及びコントローラ用ＣＰＵ３１、即ち、コントローラ３０を交換しない限り、電子キー２の登録を行なうことが不可能となる。
【００５９】
本実施形態のドア施解錠制御装置３及びドア施解錠制御システム１によれば、以下のような作用・効果を得ることができる。
（１）ドア施解錠制御装置３が一旦「警戒モード」に設定されてしまうと、同「警戒モード」の設定が解除されない限り、電子キー２の登録が禁止されるので、第三者による電子キー２の不正登録、及び、玄関ドア４ａの不正な施解錠操作が簡単且つ確実に防止され、住宅４のセキュリティ性が効果的に確保される。
【００６０】
（２）ＥＥＰＲＯＭ３２に登録済の電子キー２ａ〜２ｅとコントローラ用ＣＰＵ３１との間で無線通信を介したＩＤ認証（ＩＤコードの照合）が成立することが「警戒モード」の設定解除の必須条件となっているので、当該登録済の電子キー２ａ〜２ｅを全て紛失してしまえば、ＥＥＰＲＯＭ３２及びコントローラ用ＣＰＵ３１を交換しない限り、「警戒モード」の設定が解除できないので、電子キー２の登録を一切禁止することができるようになる。
【００６１】
（３）ＥＥＰＲＯＭ３２に登録済の電子キー２ａ〜２ｅとコントローラ用ＣＰＵ３１との間で無線通信が行われ、且つ、電子キー２ａ〜２ｅのいずれかから送信され受信した受信信号に含まれているＩＤコードがＥＥＰＲＯＭ３２に記憶されたＩＤコードＡ〜ＥのいずれかのＩＤコードと一致しているか否かを判断するＩＤ認証が成立したことを条件として、「警戒モード」の設定及び同設定の解除が行われる。換言すれば、そのようなＩＤ認証が成立しない限り、「警戒モード」の設定及び同設定の解除は行なわれない。このため、当該登録済の電子キー２ａ〜２ｅとコントローラ用ＣＰＵ３１との間で前記ＩＤ認証を成立させることで簡単に「警戒モード」の設定及び同設定の解除を行うことができる上、同登録済の電子キー２ａ〜２ｅを全て紛失してしまえば、ＥＥＰＲＯＭ３２及びコントローラ用ＣＰＵ３１を交換しない限り、「警戒モード」の設定が解除できない。そして、これにより電子キー２の登録が一切禁止されるので、第三者による電子キー２の不正登録、及び、玄関ドア４ａの不正な施解錠操作の防止が徹底され、住宅４のセキュリティ性がさらに効果的に確保される。
【００６２】
（４）ドア施解錠制御装置３が「警戒モード」に一旦設定された後、同「警戒モード」がＥＥＰＲＯＭ３２に登録済の電子キー２ａ〜２ｅを使用することで解除された場合には、玄関ドア４ａに設けられた登録スイッチ３６が操作され、「登録モード」に設定されたことを条件として、電子キー２の登録が行われるようにした。このため、当該住宅４のセキュリティ性を確保しながら、ＥＥＰＲＯＭ３２及びコントローラ用ＣＰＵ３１を交換しないでも、電子キー２の再登録を行うことができる。
【００６３】
（５）ドア施解錠制御装置３の「警戒モード」の設定が解除されない限り、電子キー２の登録が禁止され、第三者による電子キー２の不正登録、及び、玄関ドア４ａの不正な施解錠操作が簡単且つ確実に防止され、住宅４のセキュリティ性が効果的に確保されるドア施解錠制御システム１が得られる。
【００６４】
尚、上記実施形態は以下のように変形してもよい。
・上記実施形態では、「警戒モード」において、コントローラ用ＣＰＵ３１によって、玄関ドア４ａを開放するためのＩＤ認証の成立を経ることなくドア開閉検知センサ３３により玄関ドア４ａが開放されたことが検知されたときに、音声回路３７及びスピーカ３７ａが警報を発生するように構成した。しかしこれに限られず、「警戒モード」において、当該ＩＤ認証の成立を経ることなくコントローラ用ＣＰＵ３１によって玄関ドア４ａが解錠されたことが検知されたときに、音声回路３７及びスピーカ３７ａが警報を発生するように構成することも可能である。
【００６５】
・上記実施形態では、玄関ドア４ａが解錠状態且つ閉止状態である場合において、ＥＥＰＲＯＭ３２に登録済の電子キー２ａ〜２ｅのいずれかを屋外アンテナユニット４０にかざすと、コントローラ用ＣＰＵ３１は、電子キー２ａ〜２ｅのいずれかから送信され受信した受信信号に含まれているＩＤコードが当該ＥＥＰＲＯＭ３２に記憶されたＩＤコードＡ〜ＥのいずれかのＩＤコードと一致しているか否かを判断するＩＤ認証を行う。そして、同ＩＤ認証が成立したことを条件として、電動サムターン３５を介して、当該玄関ドア４ａの施錠を行なう。そして、所定時間内に再度同電子キー２ａ〜２ｅのいずれかを屋外アンテナユニット４０にかざすと、コントローラ用ＣＰＵ３１は、前記ＩＤ認証を再度行い、同ＩＤ認証が成立したことを条件として、ドア施解錠制御装置３を「警戒モード」に設定するように構成した。しかし、「警戒モード」に設定する操作はこれに限られず、例えば、ＥＥＰＲＯＭ３２に登録済の電子キー２ａ〜２ｅのいずれかを屋外アンテナユニット４０にかざし、前記ＩＤ認証が成立したことを条件としてドア施解錠制御装置３を「警戒モード」に設定することも可能である。
【００６６】
・上記実施形態では、ドア施解錠制御装置３が「警戒モード」に一度設定された場合であっても、同「警戒モード」の設定が解除されると、電子キー２のＩＤコードのＥＥＰＲＯＭ３２への記憶が可能となる「登録モードに」設定可能に構成した。しかしこれに限られず、ドア施解錠制御装置３が一度「警戒モード」に設定されてしまうと、同「警戒モード」が解除されても、再び「登録モード」に設定することが禁止されるように構成することもできる。同構成によれば、喩え登録済の電子キー２ａ〜２ｅのいずれかが用意でき、「警戒モード」が解除されたとしても、ＥＥＰＲＯＭ３２及びコントローラ用ＣＰＵ３１を交換しない限り「警戒モード」の設定が解除できず、電子キー２の登録が一切禁止される。この結果、第三者による電子キー２の不正登録、及び、玄関ドア４ａの不正な施解錠操作の防止がさらに徹底され、住宅４のセキュリティ性が可能な限り高められる。
【００６７】
・上記実施形態では、コントローラ用ＣＰＵ３１は、ドア施解錠制御装置３が「警戒モード」に設定されている場合において、不正行為による玄関ドア４ａの解錠及び開放を認識した場合には、当該認識した時点から音声回路３７及びスピーカ３７ａを介して周囲に警報を所定時間吹鳴するように構成した。しかしこれに限られず、ドア施解錠制御装置３が「警戒モード」に設定されている間は、同「警戒モード」の設定が解除されない限り、周囲に警報を継続して吹鳴し続けるように構成することもできる。さらには、ドア施解錠制御装置３において、例えば、登録スイッチ３６等の操作によって、当該警報の吹鳴時間を任意に調節可能に構成することもできるし、さらには、警報が吹鳴されている間だけ、ドア施解錠制御装置３を「登録モード」に設定することが禁止されるように構成することも可能である。
【００６８】
さらに、前記した実施形態および変形例より把握できる技術的思想について以下に記載する。
○請求項１〜請求項３のいずれかに記載のドア施解錠制御装置において、前記警戒モードに一旦設定されると、その後同警戒モードが解除された場合であっても、電子キーの登録が禁止されるようにしたドア施解錠制御装置。
【００６９】
同構成によれば、「警戒モード」が解除されたとしても、ＩＤコード記憶手段及びドア施解錠制御手段を交換しない限り「警戒モード」の設定が解除できず、電子キーの登録が一切禁止される。この結果、第三者による電子キーの不正登録、及び、ドアの不正な施解錠操作の防止がさらに徹底され、対象物のセキュリティ性が可能な限り高められる。
【図面の簡単な説明】
【００７０】
【図１】本発明の実施形態にかかるドア施解錠制御システムの構成を示すブロック図。
【図２】本発明の実施形態にかかるドア施解錠制御装置（室内操作盤を除く）が、住宅の玄関ドアに配設されている状態を示す斜視図。
【図３】本発明の実施形態にかかるドア施解錠制御装置において、警戒モードに設定された場合に、電子キーの登録が禁止される処理フローを示すフローチャート図。
【符号の説明】
【００７１】
１…ドア施解錠制御システム、２（２ａ〜２ｅ）…電子キー、３…ドア施解錠制御装置、４…住宅、４ａ…玄関ドア、３０…コントローラ、３１…コントローラ用ＣＰＵ、３１ａ…メモリ、３２…ＥＥＰＲＯＭ、３６…登録スイッチ、３７…音声回路、３７ａ…スピーカ、４０…屋外アンテナユニット、５０…室内操作盤、５１…室内操作盤用ＣＰＵ、５５…７セグメントＬＥＤ。
【図１】
2010077619.tif 000003
【図２】
2010077619.tif 000004
【図３】
2010077619.tif 000005